(57)【要約】【解決手段】物品Ａが収容されるトレーＴが載置されるトレー用パレットＰにおいて、該トレー用パレットＰに、上部トレー取付部材６と該上部トレー取付部材６より一段下がった位置に配置された下部トレー取付部材７とを配設したものである。【効果】トレー用パレットに、上部トレー取付部材と該上部トレー取付部材より一段下がった位置に配置された下部トレー取付部材とを配設したので、パレットの高さを低く抑えることができ、従って、パレットの搬送効率や収容効率を向上することができる。【選択図】図２
2008280045.tif 000002
【特許請求の範囲】
【請求項１】
物品が収容されるトレーが載置されるトレー用パレットにおいて、該トレー用パレットに、上部トレー取付部材と該上部トレー取付部材より一段下がった位置に配置された下部トレー取付部材とが配設されていることを特徴とするトレー用パレット。
【請求項２】
請求項１に記載のトレー用パレットに載置されるトレーであって、該トレーの一方の相対する載置ブロック部の下面の一部を、上方に向かって切り欠くことにより、前記一方の相対する載置ブロック部の一部に薄肉部が形成されていることを特徴とするトレー。
【発明の詳細な説明】
【技術分野】
【０００１】
本発明は、物品の形状に応じた物品取着領域を有するトレーと該トレーが載置されるトレー用パレットに関するものである。
【背景技術】
【０００２】
従来、所定の間隔をおいて、互いに平行に配置されたフォーク挿入孔を有する角筒材を、適当な部材で連結することによりパレットを形成するとともに、必要に応じて、パレットの角部に、支柱が固着されたパレットが知られている。また、このようなパレットには、パレットに載置される物品が、搬送中に移動しないように、物品を支持する支持枠が、溶接や鑞付け等により固定的に固着されている。このようなパレットは、一例として、特許文献１に開示されている。
【０００３】
【特許文献１】実公平６−２７５９１号公報
【発明の開示】
【発明が解決しようとする課題】
【０００４】
図１０に示されているように、上述した従来のパレットＰ’においては、物品Ａ’を支持する支持枠Ｓ’が、溶接や鑞付け等により、固定的に固着されており、所定の形状を有する物品Ａ’に特定された専用のパレットＰ’であるために、異なる形状を有する物品には使用することができず、従って、汎用性のないパレットであった。
【０００５】
また、支持枠Ｓ’が、所定の間隔をおいて、互いに平行に配置されたフォーク挿入孔ｆ１’を有する角筒材Ｆ’の上面と面一な水平面に固着されているので、パレットＰ’の下面ｐ１’から支持枠Ｓ’の上面ｓ１’までの距離（高さ）Ｈ１’、或いは、パレットＰ’に物品が載置されている場合には、パレットＰ’の下面ｐ１’から物品Ａ’の上面ａ１’までの距離（高さ）Ｈ２’が高くなるという問題があった。このように、パレットＰ’の高さＨ１’が高いと、パレットＰ’をトラック等で搬送する際のパレットＰ’の搬送効率が悪かったり、或いは、パレットＰ’を倉庫やコンテナー等に収容する際の収容効率が悪いという問題があった。なお、ｐ２’は、必要に応じて、パレットＰ’の角部に立設され支持支柱であり、パレットＰ’を段積みする際には、上方に位置するパレットＰ’の下面が、下方に位置するパレットＰ’の支持支柱ｐ２’に支持されるように構成されている。
【０００６】
本発明の目的は、上述した従来のパレットが有する課題を解決するとともに、パレットに載置されるトレーを提供することにある。
【課題を解決するための手段】
【０００７】
本発明は、上述した目的を達成するために、第１には、トレー用パレットに、上部トレー取付部材と該上部トレー取付部材より一段下がった位置に配置された下部トレー取付部材とを配設したものであり、第２には、一方の相対する載置ブロック部ともう一方の相対する載置ブロック部とから略額縁状に形成されているトレー用パレットの前記一方の相対する載置ブロック部の下面の一部を、上方に向かって切り欠くことにより、前記一方の相対する載置ブロック部の一部を薄肉部に形成したものである。
【発明の効果】
【０００８】
トレー用パレットに、上部トレー取付部材と該上部トレー取付部材より一段下がった位置に配置された下部トレー取付部材とを配設したので、パレットの高さを低く抑えることができ、従って、パレットの搬送効率や収容効率を向上することができる。
【０００９】
一方の相対する載置ブロック部ともう一方の相対する載置ブロック部とから略額縁状に形成されているトレー用パレットの前記一方の相対する載置ブロック部の下面の一部を、上方に向かって切り欠くことにより、前記一方の相対する載置ブロック部の一部を薄肉部に形成したので、物品が載置されたパレットの高さを低く抑えることができ、従って、物品が載置されたパレットの搬送効率や収容効率を向上することができる。
【実施例】
【００１０】
以下に、本発明の実施例について説明するが、本発明のの趣旨を越えない限り、何ら本実施例に限定されるものではない。
【００１１】
先ず最初に、図１〜図３を用いて、トレーＴが載置されるトレー用パレット（以下、単に、パレットという。）について説明する。
【００１２】
１は、金属製の板材を成形加工して形成されているとともに、相対する側面が開放された角筒材からなるフォーク挿入部材であり、一対のフォーク挿入部材１が、所定の間隔をおいて配置されている。フォーク挿入部材１には、フォーク挿入孔１ａが形成されている。
【００１３】
２は、フォーク挿入部材１と略同じ長さ及びフォーク挿入部材１と略同じ高さを有する台座部材であり、台座部材２も、金属板を成形加工して形成された、フォーク挿入部材１と略同一の角筒材からなっており、台座部材２の相対する側面は、フォーク挿入部材１と異なり、蓋板２ａで閉鎖されている。
【００１４】
一対のフォーク挿入部材１が、所定の間隔をおいて、略平行に配置されているとともに、一対のフォーク挿入部材１の外側に、それぞれ、１本の台座部材２が、フォーク挿入部材１と略平行になるように配置されている。フォーク挿入部材１の上面１ｂ及び台座部材２の上面２ｂには、角筒材からなる端部連結部材３の下面３ａが載置されているとともに、フォーク挿入部材１と端部連結部材３及び台座部材２と端部連結部材３とは、それぞれ、溶接や鑞付け等の適当な固着手段により固定的に連結されている。
【００１５】
４は、端部連結部材３と同様の角筒材からなる端部側連結部材であり、端部側連結部材４は、端部連結部材３の内側に、端部連結部材３に接近して配設されている。端部側連結部材４は、フォーク挿入部材１の上面１ｂ及び台座部材２の上面２ｂに載置されているとともに、フォーク挿入部材１と端部側連結部材４及び台座部材２と端部側連結部材４とは、それぞれ、溶接や鑞付け等の適当な固着手段により固定的に連結されている。
【００１６】
５は、端部連結部材３の略中間に配置された角筒材からなる中間連結部材であり、中間連結部材５の下面５ａは、フォーク挿入部材１の上面１ｂ及び台座部材２の上面２ｂに載置されているとともに、中間連結部材５と台座部材２及び中間連結部材５とフォーク挿入部材１とは、溶接や鑞付け等の適当な固着手段により、互いに固着されている。
【００１７】
６は、フォーク挿入部材１に当接するように、或いは、フォーク挿入部材１に接近して配置されているとともに、その上面６ａが、フォーク挿入部材１の上面１ｂと略面一状態の上部トレー取付部材である。上部トレー取付部材６は、フォーク挿入部材１や台座部材２と略同じ長さに形成されているとともに、フォーク挿入部材１や台座部材２と略平行に配置されている。上部トレー取付部材６の上面６ａと端部側連結部材４の下面４ａ及び上部トレー取付部材６の上面６ａと中間連結部材５の下面５ａとは当接されており、上部トレー取付部材６と端部側連結部材４及び上部トレー取付部材６と中間連結部材５とは、それぞれ、溶接や鑞付け等の適当な固着手段により固着されている。
【００１８】
７は、角筒材や板材等からなる下部トレー取付部材であり、下部トレー取付部材７の上面７ａは、上部トレー取付部材６の上面６ａより、一段下がった位置に配置されている。下部トレー取付部材７は、端部側連結部材４の下面４ａ及び中間連結部材５の下面５ａに、垂直連結具７ｂを介して固着されている。なお、下部トレー取付部材７を、垂直連結具７ｂを介して、端部連結部材３の下面３ａに固着することもできる。
【００１９】
下部トレー取付部材７は、台座部材２と該台座部材２と相対するフォーク挿入部材１との間及び相対するフォーク挿入部材１との間に、それぞれ、１本配設されている。本実施例においては、３本の下部トレー取付部材７が配設されている例が示されている。
【００２０】
上述した上部トレー取付部材６と該上部トレー取付部材６と相対する下部トレー取付部材７と端部側連結部材４と該端部側連結部材４と相対する中間連結部材５とにより、後述するトレーＴが、取り外し自在に取り付けられるトレイ取着領域Ｓ１が、複数箇所、形成されているとともに、一方の台座部材２と該台座部材２と相対する下部トレー取付部材７と端部側連結部材４と該端部側連結部材４と相対する中間連結部材５とにより、後述するトレーＴが、取り外し自在に取り付けられるトレイ取着領域Ｓ２が、複数箇所、形成されている。
【００２１】
本実施例には、トレイ取着領域Ｓ２を構成する一方の台座部材２が、トレイ取着領域Ｓ１の上部トレー取付部材６を兼用している例が示されているが、台座部材２に当接するように、或いは、台座部材２に接近して、その上面６ａが、台座部材２の上面２ｂと略面一状態になるように、上部トレー取付部材６を配設することもできる。
【００２２】
８は、端部連結部材３の上面３ｂ、端部側連結部材４の上面４ｂ及び中間連結部材５の上面５ｂに載置されているとともに、台座部材２の上方に位置する下部介在部材であり、下部介在部材８と端部連結部材３、下部介在部材８と端部側連結部材４及び下部介在部材８と中間連結部材５とは、それぞれ、溶接や鑞付け等の適当な固着手段により固着されている。なお、必要に応じて、下部介在部材８を省略することができる。
【００２３】
９は、パレットＰの角部に立設された角筒材からなる角部垂直支持支柱であり、本実施例においては、端部連結部材３や下部介在部材８に、溶接や鑞付け等の適当な固着手段により固着されている。
【００２４】
１０は、相対する角部垂直支持支柱９の上端部を連結する角筒材からなる一対の上端水平連結部材であり．上端水平連結部材１０は、台座部材２及び下部介在部材８の上方に位置するとともに、台座部材２及び下部介在部材８と略平行に配置されている。１１は、上端水平連結部材１０で連結されていない一方の相対する角部垂直支持支柱９の上端部を連結する角筒材からなる上端水平連結部材であり、上端水平連結部材１１は、端部連結部材３の上方に位置するとともに、端部連結部材３と略平行に配置されている。なお、本実施例においては、パレットＰへの物品Ａの載置作業の邪魔にならないように、もう一方の相対する角部垂直支持支柱９には、上端水平連結部材１１が取着されていない例が示されている。
【００２５】
次に、図４及び図５を用いて、上述したパレットＰに、取り外し自在に配設されるトレーＴについて説明する。
【００２６】
トレーＴは、一方の相対する載置ブロック部ｔ１ともう一方の相対する載置ブロック部ｔ２とから、平面形状が略額縁状に形成されている。一方の相対する載置ブロック部ｔ１の下面ｔ１ａの一部には、載置ブロック部ｔ１の下面ｔ１ａを、上方に向かって切り欠くことにより切欠き凹部ｔ１ｂが形成されている。
【００２７】
上述した切欠き凹部ｔ１ｂを構成する底面ｔ１ｂ’を除いた、一方の相対する載置ブロック部ｔ１の下面ｔ１ａともう一方の相対する載置ブロック部ｔ２の下面ｔ２ａとは、略面一に形成されている。
【００２８】
ｔ３は、トレーＴに載置される物品が、水平方向い移動することを抑制する物品移動抑制部材として機能するとともに、トレーＴへの物品の移載を容易にする物品案内部材として機能する、トレーＴの角部に形成された移動抑制・案内ブロックである。ｔ１ｃは、一方の相対する載置ブロック部ｔ１の上面ｔ１ｄに形成された物品載置台座であり、ｔ２ｂは、もう一方の相対する載置ブロック部ｔ２の上面ｔ２ｃに形成された物品載置台座である。トレーＴに載置される物品の下面は、物品載置台座ｔ１ｃ及び物品載置台座ｔ２ｂに載置されるように構成されている。
【００２９】
ｔ４は、一方の相対する載置ブロック部ｔ１の下面ｔ１ａに形成された切欠き凹部ｔ１ｂを構成する薄肉部ｔ１ｂ”に取着されたトレー取付枠であり、トレー取付枠ｔ４には、ネジやボルト等の固着具Ｂが挿通される取付具挿入孔ｔ４ａが穿設されている。また、もう一方の相対する載置ブロック部ｔ２にも、同様のトレー取付枠ｔ４が取着されている。なお、このようなトレー取付枠ｔ４の取着位置は、このような位置に限定されることなく、トレーＴの適当な位置に取着することができる。
【００３０】
次に、パレットＰへのトレーＴの取り付けについて説明する。
【００３１】
先ず最初に、上述した上部トレー取付部材６と該上部トレー取付部材６と相対する下部トレー取付部材７と端部側連結部材４と該端部側連結部材４と相対する中間連結部材５とにより構成されるトレイ取着領域Ｓ１へのトレーＴの取り付けについて説明する。
【００３２】
トレーＴの一方の相対する載置ブロック部ｔ１の下面ｔ１ａに形成された切欠き凹部ｔ１ｂを構成する薄肉部ｔ１ｂ”に取着されたトレー取付枠ｔ４を、トレー取付枠ｔ４の取付具挿入孔ｔ４ａと上部トレー取付部材６に穿設されたネジやボルト等の固着具Ｂが挿通される取付具挿入孔６ｂとが一致するように、上部トレー取付部材６の上面６ａに載置するとともに、トレーＴのもう一方の相対する載置ブロック部ｔ２に取着されたトレー取付枠ｔ４を、トレー取付枠ｔ４の取付具挿入孔ｔ４ａと下部トレー取付部材７に穿設されたネジやボルト等の固着具Ｂが挿通される取付具挿入孔７ｃとが一致するように、下部トレー取付部材７の上面７ａに載置する。その後、トレー取付枠ｔ４の取付具挿入孔ｔ４ａと上部トレー取付部材６の取付具挿入孔６ｂ及びトレー取付具ｔ４の取付具挿入孔ｔ４ａと下部トレー取付部材７の取付具挿入孔７ｃとに、ネジやボルト等の固着具Ｂを挿入することにより、トレーＴが、パレットＰに、取り外し自在に取り付けられるように構成されている。
【００３３】
なお、一方の台座部材２と該台座部材２と相対する下部トレー取付部材７と端部側連結部材４と該端部側連結部材４と相対する中間連結部材５とにより構成されるトレイ取着領域Ｓ２へのトレーＴの取り付けについては、上部トレー取付部材６に穿設されている取付具挿入孔６ｂが、トレイ取着領域Ｓ１における上部トレー取付部材６と同一機能を有する台座部材２に穿設されている取付具挿入孔２ｃである点以外は、同じであるので、トレーＴのトレイ取着領域Ｓ２への取り付けの詳細については省略する。
【００３４】
図５に示されているように、本発明においては、トレーＴの一方の相対する載置ブロック部ｔ１の下面ｔ１ａに形成された切欠き凹部ｔ１ｂを構成する薄肉部ｔ１ｂ”が、パレットＰの上部トレー取付部材６の上面６ａに載置され、また、トレーＴのもう一方の相対する載置ブロック部ｔ２の下面ｔ２ａが、パレットＰの上部トレー取付部材６の上面６ａより一段下がった位置に位置するパレットＰの下部トレー取付部材７の上面７ａに載置されるように構成されている。従って、本発明においては、トレーＴの上面Ｔ’とフォーク挿入部材１の下面１ｃとの距離（高さ）Ｈ１（図５）を、トレーＴの一方の相対する載置ブロック部ｔ１の下面ｔ１ａに形成された切欠き凹部ｔ１ｂを構成する薄肉部ｔ１ｂ”が形成されていない図６におけるトレーＴの上面Ｔ’とフォーク挿入部材１の下面１ｃとの距離（高さ）Ｈ２より、低くすることができ、よって、パレットＰの搬送効率を向上することができるとともに、パレットＰを倉庫やコンテナー等に収容する際の収容効率を向上することができる。
【００３５】
また、トレーＴを、ネジやボルト等の固着具Ｂを介して、パレットＰに取り外し自在に配設するように構成したので、物品の形状に応じて異なるトレーＴを、自在に、パレットＰに取り付けることができ、従って、特定の物品に対して専用のパレットである従来のパレットに比べて、本発明のように、物品の形状に応じてたトレーＴが、取り付け自在なパレットＰとすることにより、パレットＰの汎用性を高めることができる。
【００３６】
図７には、一例として、トレーＴに、物品Ａが収容されている状態が示されている。物品Ａの側面に形成された凸状部ａ１が、トレーＴの移動抑制・案内ブロックｔ３の間に位置するように構成されているとともに、物品Ａの底面が、一方の相対する載置ブロック部ｔ１の上面ｔ１ｄに形成された物品載置台座ｔ１ｃ及びもう一方の相対する載置ブロック部ｔ２の上面ｔ２ｃに形成された物品載置台座ｔ２ｂに載置されるように構成されている。このように、物品Ａの底面が、物品載置台座ｔ１ｃ、ｔ２ｂに載置されるように構成されているので、物品Ａが水平方向に移動しても、物品Ａの下面角部ａ２が、相対する載置ブロック部ｔ１の上面ｔ１ｄやもう一方の相対する載置ブロック部ｔ２の上面ｔ２ｃに当接するようなことがないので、相対する載置ブロック部ｔ１の上面ｔ１ｄやもう一方の相対する載置ブロック部ｔ２の上面ｔ２ｃが傷ついたり、削られるようなことがない。
【００３７】
図８に示されているように、トレーＴの相対する載置ブロック部ｔ１やもう一方の相対する載置ブロック部ｔ２や移動抑制・案内ブロックｔ３は、下方が開放された空胴部Ｔ”に形成されており、トレーＴを段積みした際には、上方に位置するトレーＴａの空胴部Ｔ”内に、下方に位置するトレーＴｂの移動抑制・案内ブロックｔ３が挿入されるように構成されている。従って、トレーＴの段積み高さを低く抑えることができ、トレーＴの搬送効率や収容効率が向上する。
【００３８】
上述した構成を有するトレーＴは、射出成形やブロー成形等により、合成樹脂製パレットで一体成形されている。
【００３９】
なお、図９に示されているように、本実施例には、トレーＴのトレイ取着領域Ｓ１、Ｓ２が、６箇所、形成されている例が示されているが、トレイ取着領域Ｓ１、Ｓ２の配設箇所は、６箇所に何ら限定されるものではない。
【００４０】
更に、トレーＴに物品Ａを載置する際に、物品Ａが接触する箇所、例えば、移動抑制・案内ブロックｔ３や物品載置台座ｔ１ｃ、ｔ２ｂの肉厚を、他の部分より厚くすることにより、トレーＴを補強することができ、従って、物品Ａが載置されたトレーＴに移送中や搬送中に、物品Ａがずれて、移動抑制・案内ブロックｔ３に当接するようなことがあっても、移動抑制・案内ブロックｔ３が損傷するようなことを防止することができるとともに、物品Ａが接触する箇所、例えば、移動抑制・案内ブロックｔ３や物品載置台座ｔ１ｃ、ｔ２ｂが、多少、削られても、トレーＴの強度や剛性に大きな影響がなく、従って、トレーＴの耐久性が向上する。
【図面の簡単な説明】
【００４１】
【図１】図１は、本発明のトレー用パレットの斜視図である。
【図２】図２は、本発明のトレー用パレットの部分拡大斜視図である。
【図３】図３は、本発明のトレー用パレットとトレーの斜視図である。
【図４】図４は、本発明のトレーの斜視図である。
【図５】図５は、本発明のトレー用パレットと該トレー用パレットに載置されたトレーの正面図である。
【図６】図６は、本発明とは異なるトレー用パレットと該トレー用パレットに載置されたトレーの正面図である。
【図７】図７は、本発明のトレーと該トレーに収容された物品の正面図である。
【図８】図８は、本発明のトレーが段積みされた状態の垂直断面図である。
【図９】図９は、本発明のトレーが載置された状態の本発明のトレー用パレットの斜視図である。
【図１０】図１０は、物品が載置された状態の従来のトレー用パレットの正面図である。
【符号の説明】
【００４２】
Ａ・・・・・・・・物品
Ｐ・・・・・・・・トレー用パレット
Ｔ・・・・・・・・トレー
１・・・・・・・・フォーク挿入部材
２・・・・・・・・台座部材
６・・・・・・・・上部トレー取付部材
７・・・・・・・・下部トレー取付部材
【図１】
2008280045.tif 000003
【図２】
2008280045.tif 000004
【図３】
2008280045.tif 000005
【図４】
2008280045.tif 000006
【図５】
2008280045.tif 000007
【図６】
2008280045.tif 000008
【図７】
2008280045.tif 000009
【図８】
2008280045.tif 000010
【図９】
2008280045.tif 000011
【図１０】
2008280045.tif 000012